(57)【要約】      （修正有）【課題】手のもみほぐし動作が自動的に行ない得るようにした手のもみほぐし装置を提供する。【解決手段】回転軸１３に取付けられている上下一対の斜板カム１５によって、これらの斜板カム１５の外周部が嵌合する嵌合孔を備える押圧板１１、１２を旋回運動させ、これらの押圧板１１、１２の互いに対向する表面に取付けられている押圧子１７、１８によって凹部４７内に挿入された手５２を上下からもみほぐす。【選択図】図４
0003134216.tif 000002
【実用新案登録請求の範囲】
【請求項１】
互いに対向する一対の押圧板を具備し、前記一対の押圧板を貫通する回転軸に一対の斜板カムが取付けられ、前記一対の斜板カムの外周部が前記一対の押圧板の嵌合孔に回転可能に嵌合され、しかも前記一対の押圧板の互いに対向する表面にそれぞれ押圧子が取付けられ、
前記回転軸を回転駆動すると、前記斜板カムによって前記一対の押圧板が旋回運動を行ない、前記一対の押圧板上の押圧子によってもみほぐし運動が行なわれることを特徴とするもみほぐし装置。
【請求項２】
前記一対の押圧板が弾性変形可能な合成樹脂板であることを特徴とする請求項１に記載のもみほぐし装置。
【請求項３】
前記一対の斜板カムの位相が１８０°ずれており、前記一対の押圧板が互いに逆の旋回運動を行なうことを特徴とする請求項１または請求項２に記載のもみほぐし装置。
【請求項４】
前記一対の押圧板上にそれぞれ取付け台を介して突起状の押圧子が取付けられていることを特徴とする請求項１〜３の何れかに記載のもみほぐし装置。
【請求項５】
前記押圧子を取付けた押圧板上を保護布で覆うようにしたことを特徴とする請求項１〜４の何れかに記載のもみほぐし装置。
【請求項６】
前記一対の押圧板間に手を挿入してもみほぐすことを特徴とする請求項１〜５の何れかに記載のもみほぐし装置。
【考案の詳細な説明】
【技術分野】
【０００１】
本考案はもみほぐし装置に係り、とくに手のもみほぐしに用いて好適なもみほぐし装置に関する。
【背景技術】
【０００２】
一般に凝り易い肩をもむためのもみほぐし器として、特開平１１−７６３３１号公報や、特開平６−７０９６５号公報に記載のような装置が提案されている。また腰をもむための装置として、特開２００５−３２９１４５号公報に開示されているような揉み器が提案されている。さらに、足をもむためのもみ器として、特開平１１−２８２３７号公報、特開平１０−３２８２５９号公報、特開平１０−２４３９８０号公報に開示されているような揉み器が提案されている。
【０００３】
ところが掌や手の甲をもみほぐすためのもみほぐし装置が存在しない。従って手が疲労したり、あるいは手の筋肉が固くなった場合には、人手によってもみほぐすしかなかった。ところがとくに手を酷使するような作業が増えており、このために手のもみほぐしを自動的に行なう装置が必要になっている。
【特許文献１】特開２００５−３２９１４５号公報
【特許文献２】特開平１１−７６３３１号公報
【特許文献３】特開平１１−２８２３７号公報
【特許文献４】特開平１０−３２８２５９号公報
【特許文献５】特開平１０−２４３９８０号公報
【特許文献６】特開平６−７０９６５号公報
【考案の開示】
【考案が解決しようとする課題】
【０００４】
本願考案の課題は、手を挿入してもみほぐすことが可能なもみほぐし装置を提供することである。
【０００５】
本願考案の別の課題は、手の甲あるいは掌の部分を上にした状態でもみほぐすことができるようにしたもみほぐし装置を提供することである。
【０００６】
本願考案のさらに別の課題は、単一の駆動源によって一対の押圧板を用いてもみほぐすことができるようにしたもみほぐし装置を提供することである。
【０００７】
本願考案のさらに別の課題は、簡潔な機構によってしかも確実なもみほぐし運動が行なわれるようにしたもみほぐし装置を提供することである。
【０００８】
本願考案のさらに別の課題は、もみほぐし部位に対して適正な押圧力を付加することができるようにしたもみほぐし装置を提供することである。
【０００９】
本願考案の上記の課題および別の課題は、以下に述べる本願考案の技術的思想およびその実施の形態によって明らかにされる。
【課題を解決するための手段】
【００１０】
本願の主要な考案は、互いに対向する一対の押圧板を具備し、前記一対の押圧板を貫通する回転軸に一対の斜板カムが取付けられ、前記一対の斜板カムの外周部が前記一対の押圧板の嵌合孔に回転可能に嵌合され、しかも前記一対の押圧板の互いに対向する表面にそれぞれ押圧子が取付けられ、
前記回転軸を回転駆動すると、前記斜板カムによって前記一対の押圧板が旋回運動を行ない、前記一対の押圧板上の押圧子によってもみほぐし運動が行なわれることを特徴とするもみほぐし装置に関するものである。
【００１１】
ここで、前記一対の押圧板が弾性変形可能な合成樹脂板であってよい。また前記一対の斜板カムの位相が１８０°ずれており、前記一対の押圧板が互いに逆の旋回運動を行なうようにしてよい。また前記一対の押圧板上にそれぞれ取付け台を介して突起状の押圧子が取付けられてよい。また前記押圧子を取付けた押圧板上を保護布で覆うようにしてよい。また前記一対の押圧板間に手を挿入してもみほぐすようにしてよい。
【考案の効果】
【００１２】
本願の主要な考案は、互いに対向する一対の押圧板を具備し、一対の押圧板を貫通する回転軸に一対の斜板カムが取付けられ、一対の斜板カムの外周部が一対の押圧板の嵌合孔に回転可能に嵌合され、しかも一対の押圧板の互いに対向する表面にそれぞれ押圧子が取付けられ、回転軸を回転駆動すると、斜板カムによって一対の押圧板が旋回運動を行ない、一対の押圧板上の押圧子によってもみほぐし運動が行なわれるようにしたものである。
【００１３】
従ってこのようなもみほぐし装置によると、一対の押圧板の間にもみほぐし部位を挿入して回転軸を回転駆動することによって、一対の押圧板上の押圧子が挿入されたもみほぐし部位をもみほぐすことになり、自動的なもみほぐし運動が達成される。しかもこのようなもみほぐし動作は、回転軸に取付けられた一対の斜板カムによる２枚の押圧板の旋回運動によって達成されるために、単一の駆動源によって、しかも簡潔な機構によるもみほぐし装置が提供されることになる。
【考案を実施するための最良の形態】
【００１４】
以下本願考案を図示の実施の形態によって説明する。図１は本実施の形態のもみほぐし装置の外観を示しており、このもみほぐし装置は、側部に開口した凹部４７を備え、この凹部４７内に手５２を挿入することによって、手が上下から押圧子１７、１８によって押圧され（図２参照）、これによって手５２のもみほぐし動作が行なわれるようになっている。なお手５２を挿入する凹部４７の上下は保護布４８によって覆われるとともに、このもみほぐし装置の外側の部分が人工皮革のカバー４９によって覆われるようになっている。
【００１５】
次にこのようなもみほぐし装置の内部の構成を図２〜図５によって説明する。このもみほぐし装置は、合成樹脂製の上下の押圧板１１、１２を備えるとともに、これらの押圧板１１、１２を貫通するように回転軸１３が垂直に配されている。そして回転軸１３上には、上下一対の斜板カム１５、１６が取付けられている。斜板カム１５、１６は、上記押圧板１１、１２の嵌合孔４０（図９、図１０参照）にそれぞれ嵌合されており、これによって回転軸１３を回転駆動すると、押圧板１１、１２が旋回運動を行なうようになっている。
【００１６】
押圧板１１、１２上にはそれぞれ押圧子１７、１８が取付けられるようになっている。押圧子１７、１８の取付け構造は、図６〜図８に示すように、押圧子１７、１８がそれぞれ取付け台１９、２０上に突出するように設けられるとともに、取付け台１９、２０がそれぞれ取付け板２１、２２を介して押圧板１１、１２に取付けられるようになっている。
【００１７】
次に回転軸１３の支持構造について説明すると、図３〜図５に示すように、この装置の背面側の部分には板状をなすシャーシ２６が設けられ、このシャーシ２６の上下にはそれぞれブラケット２７、２８が取付けられている。そしてブラケット２７、２８によって、上下の軸受２９、３０がそれぞれ支持されている。軸受２９、３０が上記回転軸１３の上下の部分を回転可能に支持している。
【００１８】
しかも回転軸１３の下端側の部分にはウオーム３２と噛合っているウオームホイール３３が固着されている。そしてウオーム３２は、モータ３４の出力軸３５に固着されている。従ってモータ３４を回転駆動すると、ウオーム３２を介してウオームホイール３３が回転され、このために減速された回転数で回転軸１３がゆっくりと回転運動を行なうことになる。
【００１９】
上述の如く回転軸１３に固着されている斜板カム１５、１６の外周側の部分は、図９および図１０に示すように、上下の押圧板１１、１２の嵌合孔４０の部分に嵌合しており、しかも下側から押え板４１が取付けられている。従ってモータ３４によって回転軸１３を回転駆動すると、斜板カム１５、１６が回転し、その外周面に嵌合する嵌合孔４０を備える押圧板１１、１２が旋回運動を行なう。しかも押圧板１１、１２はとくに図９に示すように、背面側に突出するようにピン４２を備え、このピン４２がシャーシ２６の内側の表面に固着された回転止め４３の溝の部分に係合している。従って押圧板１１、１２の旋回運動の際に、押圧板１１、１２は回転運動を行なうことがなく、確実な旋回運動が達成される。
【００２０】
従ってモータ３４によって、ウオーム３２およびウオームホイール３３を介して回転軸１３を回転駆動すると、この回転軸１３に取付けられている斜板カム１５、１６によって押圧板１１、１２がそれぞれ旋回運動を行なう。ここで斜板カム１５、１６の回転軸１３に対する取付け位相が互いに１８０度ずれているために、上下の押圧板１１、１２の押圧動作が互いに逆の関係になり、上下の押圧板１１、１２の押圧子１７、１８が互いに近接する方向と離間する方向に互いに同期して移動するようになる。
【００２１】
上記押圧板１１、１２にはとくに図６および図７に示すように、取付け板２１、２２および取付け台１９、２０を介して押圧子１７、１８が取付けられている。ここで押圧板１１、１２がともに弾性変形可能な合成樹脂板から構成され、また取付け台１９、２０および押圧子１７、１８がともにゴムによって構成されている。従って押圧板１１、１２の旋回運動によって、押圧子１７、１８が、凹部４７に挿入された手をもみほぐす運動を行なう。
【００２２】
取付け板２１、２２および取付け台１９、２０を介して取付けられている押圧子１７、１８は、図７に示すように、各列に４個の押圧子１７、１８を備えるとともに、５列にわたって押圧子１７、１８が配されている。すなわち押圧板１１、１２にはそれぞれ２０個ずつの押圧子１７、１８が取付けられており、これらの押圧子１７、１８によって、凹部４７に挿入された手５２を上下からゆっくりともみほぐすことになる。このときに押圧子１７、１８はそれぞれ上下の保護布４８を介して手５２をもみほぐすことになり、押圧子１７、１８の弾性のみならず、保護布４８による緩衝保護によって、手５２の確実なもみほぐし動作が達成される。なお凹部４７内における手５２の挿入は、掌を上に向けてもよく、あるいはまた手の甲を上に向けてもよい。すなわち何れの姿勢でも、手５２のもみほぐし動作が達成される。
【００２３】
以上本願考案を図示の実施の形態によって説明したが、本願考案は上記実施の形態によって限定されることなく、本願考案の技術的思想の範囲内において各種の変更が可能である。例えば上記実施の形態における押圧板１１、１２上の押圧子１７、１８の配置等については、各種の設計変更が可能である。また斜板カム１５、１６の回転軸１３に対する傾斜角についても、任意に設計変更することができる。
【産業上の利用可能性】
【００２４】
本願考案は、手をもみほぐすためのもみほぐし器として利用することができる。
【図面の簡単な説明】
【００２５】
【図１】手のもみほぐし装置の使用状態の外観斜視図である。
【図２】同もみほぐし器の要部側面図である。
【図３】フレームを含む内部構造を示す外観斜視図である。
【図４】フレームを取除いた状態の外観斜視図である。
【図５】内部構造の側面図である。
【図６】押圧板に対する押圧子の取付けを示す分解斜視図である。
【図７】押圧子の取付けを示す平面図である。
【図８】押圧子の取付けを示す側面図である。
【図９】押圧板の旋回運動を示す前後方向の縦断面図である。
【図１０】押圧板の旋回運動を示す横方向の縦断面図である。
【符号の説明】
【００２６】
１１  押圧板（上）
１２  押圧板（下）
１３  回転軸
１５  斜板カム（上）
１６  斜板カム（下）
１７  押圧子（上）
１８  押圧子（下）
１９  取付け台（上）
２０  取付け台（下）
２１  取付け板（上）
２２  取付け板（下）
２６  シャーシ
２７  ブラケット（上）
２８  ブラケット（下）
２９  軸受（上）
３０  軸受（下）
３２  ウオーム
３３  ウオームホイール
３４  モータ
３５  出力軸
４０  嵌合孔
４１  押え板
４２  ピン
４３  回転止め
４７  凹部
４８  保護布
４９  人工皮革のカバー
５２  手
【図１】
0003134216.tif 000003
【図２】
0003134216.tif 000004
【図３】
0003134216.tif 000005
【図４】
0003134216.tif 000006
【図５】
0003134216.tif 000007
【図６】
0003134216.tif 000008
【図７】
0003134216.tif 000009
【図８】
0003134216.tif 000010
【図９】
0003134216.tif 000011
【図１０】
0003134216.tif 000012